【手続補正書】
【提出日】平成17年9月1日(2005.9.1)
【手続補正１】
【補正対象書類名】明細書
【補正対象項目名】発明の名称
【補正方法】変更
【補正の内容】
【発明の名称】画像処理装置及び画像処理方法
【手続補正２】
【補正対象書類名】明細書
【補正対象項目名】特許請求の範囲
【補正方法】変更
【補正の内容】
【特許請求の範囲】
【請求項１】  同一画像から少なくとも２つの解像度が異なる画像データを生成し、これらの画像データを所定の符号化方式に従って符号化して出力する画像処理装置であって、
符号化した画像データの出力先の出力先情報を受け取る出力先情報受取手段と、
前記出力先情報受取手段において受け取った前記出力先情報に従って符号化動作を制御する制御手段と
を備えたことを特徴とする画像処理装置。
【請求項２】  前記出力先情報は、少なくとも解像度の情報、又は、前記出力先の復号能力情報の何れかを含むことを特徴とする請求項１に記載の画像処理装置。
【請求項３】  前記制御手段は、前記出力先情報に従って、符号化の際の符号量を決定することを特徴とする請求項１又は２に記載の画像処理装置。
【請求項４】  前記出力先情報は、少なくとも前記出力先の復号能力情報、又は、伝送線路容量情報の何れかであり、
前記制御手段は、前記出力先情報に従って、符号化される画像データのサイズ、又は、フレームレートを設定することを特徴とする請求項１に記載の画像処理装置。
【請求項５】  同一画像から少なくとも２つの解像度が異なる画像データを生成し、これらの画像データを所定の符号化方式に従って符号化して得られた画像データを復号する画像処理装置であって、
符号化して得られる画像データに係る指定情報を受け取る指定情報受取手段と、
前記指定情報受取手段において受け取った前記指定情報を前記画像データの符号化先に出力する出力手段と
を備えたことを特徴とする画像処理装置。
【請求項６】  前記指定情報は、解像度の情報を含むことを特徴とする請求項５に記載の画像処理装置。
【請求項７】  前記出力手段は、前記指定情報と共に、又は前記指定情報に換えて、自装置の復号能力情報を前記画像データの符号化先に出力することを特徴とする請求項５又は６に記載の画像処理装置。
【請求項８】  前記解像度が異なる画像データは、空間的又は時間的解像度が異なる画像データを含むことを特徴とする請求項１乃至７の何れか１項に記載の画像処理装置。
【請求項９】  同一画像から少なくとも２つの解像度が異なる画像データを生成し、これらの画像データを所定の符号化方式に従って符号化して出力する画像処理装置における画像処理方法であって、
符号化した画像データの出力先の出力先情報を受け取る出力先情報受取工程と、
前記出力先情報受取工程において受けたった前記出力先情報に従って符号化動作を制御する制御工程と
を含むことを特徴とする画像処理方法。
【請求項１０】  同一画像から少なくとも２つの解像度が異なる画像データを生成し、これらの画像データを所定の符号化方式に従って符号化して得られた画像データを復号する画像処理装置における画像処理方法であって、
符号化して得られる画像データに係る指定情報を受け取る指定情報受取工程と、
前記指定情報受取工程において受け取った前記指定情報を前記画像データの符号化先に出力する出力工程と
を含むことを特徴とする画像処理方法。
【手続補正３】
【補正対象書類名】明細書
【補正対象項目名】０００１
【補正方法】変更
【補正の内容】
【０００１】
【発明の属する技術分野】
本発明は、画像信号をディジタル化して得られた画像データの圧縮処理、及び、圧縮処理された画像データの伸張処理に関するものである。
【手続補正４】
【補正対象書類名】明細書
【補正対象項目名】００２９
【補正方法】変更
【補正の内容】
【００２９】
本発明は、かかる問題点に鑑みなされたものであり、復号側に適した画像を提供することを目的とする。
【手続補正５】
【補正対象書類名】明細書
【補正対象項目名】００３０
【補正方法】変更
【補正の内容】
【００３０】
【課題を解決するための手段】
上記課題を解決するため、本発明は、同一画像から少なくとも２つの解像度が異なる画像データを生成し、これらの画像データを所定の符号化方式に従って符号化して出力する画像処理装置であって、符号化した画像データの出力先の出力先情報を受け取る出力先情報受取手段と、前記出力先情報受取手段において受け取った前記出力先情報に従って符号化動作を制御する制御手段とを備えたことを特徴とする。
【手続補正６】
【補正対象書類名】明細書
【補正対象項目名】００３１
【補正方法】変更
【補正の内容】
【００３１】
また、上記課題を解決するため、本発明は、同一画像から少なくとも２つの解像度が異なる画像データを生成し、これらの画像データを所定の符号化方式に従って符号化して得られた画像データを復号する画像処理装置であって、符号化して得られる画像データに係る指定情報を受け取る指定情報受取手段と、前記指定情報受取手段において受け取った前記指定情報を前記画像データの符号化先に出力する出力手段とを備えたことを特徴とする。
【手続補正７】
【補正対象書類名】明細書
【補正対象項目名】００３２
【補正方法】変更
【補正の内容】
【００３２】
また、上記課題を解決するため、本発明は、同一画像から少なくとも２つの解像度が異なる画像データを生成し、これらの画像データを所定の符号化方式に従って符号化して出力する画像処理装置における画像処理方法であって、符号化した画像データの出力先の出力先情報を受け取る出力先情報受取工程と、前記出力先情報受取工程において受けたった前記出力先情報に従って符号化動作を制御する制御工程とを含むことを特徴とする。
【手続補正８】
【補正対象書類名】明細書
【補正対象項目名】００３３
【補正方法】変更
【補正の内容】
【００３３】
また、上記課題を解決するため、本発明は、同一画像から少なくとも２つの解像度が異なる画像データを生成し、これらの画像データを所定の符号化方式に従って符号化して得られた画像データを復号する画像処理装置における画像処理方法であって、符号化して得られる画像データに係る指定情報を受け取る指定情報受取工程と、前記指定情報受取工程において受け取った前記指定情報を前記画像データの符号化先に出力する出力工程とを含むことを特徴とする。
【手続補正９】
【補正対象書類名】明細書
【補正対象項目名】００３４
【補正方法】削除
【補正の内容】
【手続補正１０】
【補正対象書類名】明細書
【補正対象項目名】００３５
【補正方法】削除
【補正の内容】
【手続補正１１】
【補正対象書類名】明細書
【補正対象項目名】００３６
【補正方法】削除
【補正の内容】
【手続補正１２】
【補正対象書類名】明細書
【補正対象項目名】００３７
【補正方法】削除
【補正の内容】
【手続補正１３】
【補正対象書類名】明細書
【補正対象項目名】００３８
【補正方法】削除
【補正の内容】
【手続補正１４】
【補正対象書類名】明細書
【補正対象項目名】００３９
【補正方法】削除
【補正の内容】
【手続補正１５】
【補正対象書類名】明細書
【補正対象項目名】００４０
【補正方法】削除
【補正の内容】
【手続補正１６】
【補正対象書類名】明細書
【補正対象項目名】００４１
【補正方法】削除
【補正の内容】
【手続補正１７】
【補正対象書類名】明細書
【補正対象項目名】００４２
【補正方法】削除
【補正の内容】
【手続補正１８】
【補正対象書類名】明細書
【補正対象項目名】００４３
【補正方法】削除
【補正の内容】
【手続補正１９】
【補正対象書類名】明細書
【補正対象項目名】００４４
【補正方法】削除
【補正の内容】
【手続補正２０】
【補正対象書類名】明細書
【補正対象項目名】００４５
【補正方法】削除
【補正の内容】
【手続補正２１】
【補正対象書類名】明細書
【補正対象項目名】００４６
【補正方法】削除
【補正の内容】
【手続補正２２】
【補正対象書類名】明細書
【補正対象項目名】００４７
【補正方法】削除
【補正の内容】
【手続補正２３】
【補正対象書類名】明細書
【補正対象項目名】００４８
【補正方法】削除
【補正の内容】
【手続補正２４】
【補正対象書類名】明細書
【補正対象項目名】００４９
【補正方法】削除
【補正の内容】
【手続補正２５】
【補正対象書類名】明細書
【補正対象項目名】００９５
【補正方法】変更
【補正の内容】
【００９５】
さらに、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって各実施の形態の機能が実現される場合も含まれることは言うまでもない。
上述した実施の形態によれば、符号化側では、復号側の情報（復号側が有する処理能力、及び／又は復号側のユーザにより指定された解像度や符号量、及び／又は符号化側と復号側との間の伝送線路容量等の情報）に従って、画像データの符号化が行われる。
より具体的には、符号化側に、出力先である復号側の性能（処理能力）情報、及び／または伝送線路情報、及び／又はユーザの希望情報（ユーザにより指定された解像度や符号量）等を受け付ける手段を設け、符号化側は、該情報に適合するスケーラブルな画像を選択してリアルタイムに符号化して送出する。一方、復号側には、該復号側の処理能力情報や、ユーザインターフェースにより入力されたユーザの希望情報等を符号化側に送出する手段を設ける。
このように構成したことで、復号側（復号側のユーザ）が希望する画像が如何なる画像であっても、その画像に適合した符号化画像データを復号側に与えることができる。また、画像の伝送に用いる回線容量や、復号側の性能に適合した（互換性を確保した）符号化画像データを復号側に提供することができる。したがって、復号側では、良好な復号画像を得ることができる。
また、符号化側と復号側との間にインタラクティブな通信機能を設けるように構成すれば、符号化側と復号側との間に介在するあらゆる事情に適合した符号化画像データを復号側に与えることができる。この結果、符号化側と復号側との間の広義の互換性や回線容量の有効利用等のメリットをもたらすことができる。
さらに、復号側に、ユーザインターフェースを設けるように構成すれば、インタラクティブな通信機能を利用して、ユーザの希望にフレキシブルに適応する符号化画像データを提供することができる。
【手続補正２６】
【補正対象書類名】明細書
【補正対象項目名】００９６
【補正方法】変更
【補正の内容】
【００９６】
【発明の効果】
以上説明したように、本発明によれば、復号側に適した画像を提供することが可能となる。
【手続補正２７】
【補正対象書類名】明細書
【補正対象項目名】００９７
【補正方法】削除
【補正の内容】